(57)【要約】【課題】  コーヒーや紅茶等を楽しむ際、容器を持ち上げるだけで、容器の底部よりメロディー、疑似音、効果音、メッセージ等の音響を発生させることができる音響発生容器を提供すること。【解決手段】  容器の底面に音響発生装置を備えた音響発生容器であって、音響発生装置は、容器を上昇させた際、光の入光を感知して音響が発生されることを特徴とする。  また音響発生装置は、基盤と、基盤上に配設された電池と、光センサと、基盤に連結されたスピーカと、前記基盤、電池、光センサ、スピーカを収容するケース体と、を備える。【選択図】図１
2019136462.tif 000002
【特許請求の範囲】
【請求項１】
容器の底面に音響発生装置を備えた音響発生容器であって、前記音響発生装置は、容器を上昇させた際、光の入光を感知して音響が発生されることを特徴とする音響発生容器。
【請求項２】
前記音響発生装置は、基盤と、基盤上に配設された電池と、光センサと、基盤に連結されたスピーカと、前記基盤、電池、光センサ、スピーカを収容するケース体と、を備える請求項１記載の音響発生容器。
【請求項３】
前記ケース体は、光を透過させる透光材にて形成されている請求項１又は２記載の音響発生容器。
【請求項４】
前記容器の底面であって、基盤が配設される側に遮光剤を施した請求項１乃至３のうちいずれか１項に記載の音響発生容器。
【請求項５】
前記容器は、飲料水を収容する飲料カップである請求項１乃至４のうちいずれか１項に記載の音響発生容器。
【発明の詳細な説明】
【技術分野】
【０００１】  本発明は、飲料用カップ等の容器を持ち上げた際、容器底面よりメロディー、疑似音、効果音、メッセージ等の音響を発生させることができる音響発生容器に関する。
【背景技術】
【０００２】  飲料用の容器に関する先行技術として、コップに注がれている内容物の温度及び量にしたがいメロディーと光を発散することで、利用者は内容物の温度及び量を把握することができ、更には楽しさを与えられるメロディー音が鳴るマジックカップがある（例えば特許文献１参照）。
上掲特許文献１には、上部は開放されて下部は密閉された外筒と内筒を一定の空間部を備えるよう結合して本体部を形成し、前記本体部の一端部に取っ手部を設置して構成される二重カップにおいて、前記空間部に内筒の底に設置される第１センサと、内筒の垂直面に互いに異なる高さで順次に形成される複数の第２センサと、前記センサ等の反応にしたがい電源を供給する電池と、前記センサ等から信号を受ける制御部と、前記制御部から信号を受けて特定のメロディー信号を送るメロディーチップと、前記メロディーチップからくる信号を受けて音を出すスピーカ振動板を設置し構成されたことを特徴とする。
【先行技術文献】
【特許文献】
【０００３】
【特許文献１】特開２００６−５５５７０号公報（特許請求の範囲等）
【発明の概要】
【発明が解決しようとする課題】
【０００４】  しかしながら、上掲特許文献１のメロディー音が鳴るマジックカップは、本体を中空状に形成する作業や、第１センサや第２センサを設置する構造等により、多くの部材や作業工程が必要となり、コストアップに繋がるという問題が生じた。【０００５】  そこで本発明は上記の点に鑑み、コーヒーや紅茶等を楽しむ際、容器を持ち上げるだけで、容器の底部よりメロディー、疑似音、効果音、メッセージ等の音響を発生させることができる音響発生容器を提供することにある。
【課題を解決するための手段】
【０００６】  上記課題を解決するために、容器の底面に音響発生装置を備えた音響発生容器であって、前記音響発生装置は、容器を上昇させた際、光の入光を感知して音響が発生されることを特徴とする。【０００７】  また前記音響発生装置は、基盤と、基盤上に配設された電池と、光センサと、基盤に連結されたスピーカと、前記基盤、電池、光センサ、スピーカを収容するケース体と、を備える。【０００８】  また前記ケース体は、光を透過させる透光材にて形成されている。【０００９】  また前記容器の底面であって、基盤が配設される側に遮光剤を施した。【００１０】  さらに前記容器は、飲料水を収容する飲料カップである。
【発明の効果】
【００１１】  容器の底面に、光の入射により音響が発生される音響発生装置を備えたことにより、飲料時に容器を持ち上げた際、音響による楽しい雰囲気を醸し出すことができる。
【図面の簡単な説明】
【００１２】
【図１】本発明における音響発生容器の全体斜視図である。
【図２】ケース体を表す。
【図３】ケース体の分解図である。
【図４】音響発生装置の平面図である。
【図５】音響発生装置の底面図である。
【図６】容器の底面図である。
【図７】音響発生装置を収容させた容器の底面図である。
【図８】本発明における音響発生容器の断面図である。
【図９】前記音響発生容器を上昇させた状態の断面図である。
【発明を実施するための形態】
【００１３】  本発明の音響発生容器は、コーヒーや紅茶等を楽しむ際、容器を持ち上げるだけで、容器の底部よりメロディー、疑似音、効果音、メッセージ等の音響を発生させ、飲料時に音響による楽しい雰囲気を醸し出すことができるものである。
以下、音響発生容器の詳細を図面に基づいて説明する。
【００１４】  図示する音響発生容器１は、容器２の底面３に音響発生装置１０を備えており、前記音響発生装置１０は、容器２を上昇させた際、光の入光を感知して音響を発生させることを特徴とするものである。
【００１５】  前記容器２は、陶器、耐熱プラスチック、金属等の素材で形成されており、前記容器２の側面には取手４が装着されている。また、前記容器２の種類としては、マグカップ、コーヒーカップ、ティーカップ、湯呑み、ジョッキ等のさまざまな形態の容器が挙げられる。
【００１６】  特に前記容器２の底面３の凹部６には、容器２を持ち上げるだけで底面３より、メロディー、疑似音、効果音、メッセージ等の音響を発生させ音響発生装置１０が収容されている。なお、前記音響発生装置１０から流れる音響は、さまざまな音響を複数組み合すこともできる。
【００１７】  前記音響発生装置１０は、容器２を上昇させた際に、底面３からの光の入光を感知して音響を発生する。前記音響発生装置１０は、図３に示すように、基盤１１と、基盤１１上に配設された電池１２と光センサ１３と、基盤１１に連結されたスピーカ１４と、前記基盤１１、電池１２、光センサ１３、スピーカ１４とを収容するケース体１５と、を備える。
【００１８】  光センサ１３は、カドミウムと硫黄を混ぜ合わせた半導体であり、当たる光の量で抵抗値が変化するセンサである。前記光センサ１３は前記基盤１１の下面に設置されており、容器２が上昇した際の入光に従い制御部に信号を送り、制御部は受けた信号により予め録音された音響データをスピーカ１４から発生させる。
【００１９】  ケース体１５は、収納部１６と蓋１７とからなり、全体が光を透過させる透光材にて形成されている。ケース体１５の材質の一例として、乳白色で透光性を有し、低吸湿性で酸・アルカリに強いポリプロピレンにて形成することが好ましい。
【００２０】  また図６に示すように、前記容器２の底面３であって、凹部６の基盤１１が配設される側には、遮光剤１８が施されている。遮光剤１８を施すことにより、容器２の内部より入る光を遮光することができ、音響発生装置１０の誤作動を防ぐことができる。
【００２１】  また図７に示すように、容器２の凹部６にケース体１５を収容させた後、ケース体１５の周囲に接着剤５を塗布することが好ましい。かかる接着剤５は、衛生面や人体への安全性、また高い防水性を有する接着剤が使用される。特に、紫外線で硬化する紫外線硬化剤を含有した接着剤が好適に使用される。
【００２２】  また特に、本発明の音響発生容器１は、飲料水を収容する飲料カップであることが好ましい。飲料カップは、コーヒー、紅茶、ココア、ジュース等の嗜好飲料を飲用するときに多く使用されるもので、カップを上げ下げする時に、楽しい雰囲気を醸し出すことができる。また、誕生日等のプレゼントにも好適に使用できる。
【００２３】  次に、本発明の音響発生容器の作製方法及び使用方法を説明する。
先ず、音響発生容器１を作製する場合、図６に示すように、スピーカ１４が底面３側に配置されるよう、容器２の凹部６内にケース１５を収容する。そして、容器２の底面３及びケース１５の周囲に接着剤５を塗布する。
【００２４】  次に、音響発生容器１を作製した後、図８に示すように、容器２内に飲料水７を入れる。この際、容器２の凹部６内の音響発生容器１は床面に覆われ、光センサ１３で光を感知することはできない状態となっている。
【００２５】  次に、飲料水７を飲むため容器２を持ち上げると、図９に示すように、凹部６内の音響発生装置１０は床面から離れる。この際、外部から入光する光Ａを光センサ１３が感知し、スピーカ１４からさまざまな音響を発生させる。
【００２６】  上述の如く本発明の音響発生容器１は、コーヒーや紅茶等を楽しむ際、通常のように容器２を持ち上げるだけで、容器２の底部３からメロディー等の音響を発生させることができる。そのことにより、飲料時に楽しい雰囲気を醸し出すことができる。
【符号の説明】
【００２７】１    音響発生容器
２    容器
３    底面
４    取手
５    接着剤
６    凹分
７    飲料水
１０  音響発生装置
１１  基盤
１２  電池
１３  光センサ
１４  スピーカ
１５  ケース体
１６  収納部
１７  蓋
【図１】
2019136462.tif 000003
【図２】
2019136462.tif 000004
【図３】
2019136462.tif 000005
【図４】
2019136462.tif 000006
【図５】
2019136462.tif 000007
【図６】
2019136462.tif 000008
【図７】
2019136462.tif 000009
【図８】
2019136462.tif 000010
【図９】
2019136462.tif 000011